(57)【要約】【課題】管理対象となる情報端末の状態を容易に確認可能な構成を提供する。【解決手段】情報端末１０において、当該情報端末１０の状態に関する端末データ等が端末データ取得部５０により取得され、この取得された端末データ等が特定情報に関連付けられて送信部によりサーバ７０に対して定期的に送信される。また、サーバ７０では、情報端末１０から受信したデータが記憶部７２のデータベースに記憶される。そして、サーバ７０では、特定情報を伴う要求に応じて、当該特定情報に関連付けてデータベースに記憶される端末データ等に基づいて当該特定情報から特定される情報端末１０の状態が制御部７１での解析処理により解析されると、この解析結果が要求元である端末装置６０に送信されて通知される。【選択図】図３
2018180708.tif 000002
【特許請求の範囲】
【請求項１】
１又は２以上の情報端末と、
前記情報端末から受信したデータを管理するサーバと、
を備える管理システムであって、
前記情報端末は、
当該情報端末の状態に関する端末データを取得する取得部と、
前記取得部により取得された前記端末データを、当該情報端末を特定可能な特定情報に関連付けて前記サーバに対して定期的に送信する送信部と、
を備え、
前記サーバは、
前記情報端末から受信したデータが記憶される端末データ記憶部と、
前記特定情報を伴う要求に応じて、当該特定情報に関連付けて前記端末データ記憶部に記憶される前記端末データに基づいて当該特定情報から特定される前記情報端末の状態を解析する解析部と、
前記解析部の解析結果を要求元に通知する通知部と、
を備えることを特徴とする管理システム。
【請求項２】
前記端末データには、前記情報端末の温度、電池電圧、消費電流及び動作状態の少なくとも１つが含まれることを特徴とする請求項１に記載の管理システム。
【請求項３】
前記取得部は、前記情報端末の加速度を検出する加速度センサを備え、
前記送信部は、前記加速度センサにより検出された前記情報端末の加速度を、当該情報端末を特定可能な特定情報に関連付けて前記サーバに対して送信することを特徴とする請求項１又は２に記載の管理システム。
【請求項４】
前記取得部は、前記情報端末の加速度を、所定の加速度閾値以上となる場合に取得し、
前記送信部は、前記取得部により前記情報端末の加速度が取得されると、当該情報端末の加速度を、前記端末データとは異なる送信タイミングにて前記サーバに対して送信することを特徴とする請求項３に記載の管理システム。
【請求項５】
前記解析部は、前記端末データ及び前記特定情報を受信するごとに、受信した前記端末データに基づいて前記特定情報から特定される前記情報端末の状態を解析し、
前記解析部による解析結果に基づいて前記情報端末の状態が警告すべき状態であるか否かについて判定する判定部と、
前記判定部により警告すべき状態であると判定された前記解析部による解析結果に関する情報が表示される表示部と、
を備えることを特徴とする請求項１〜４のいずれか一項に記載の管理システム。
【請求項６】
前記情報端末は、外部の情報を読み取り可能な情報読取端末であって、
前記端末データには、読み取られた読取データの少なくとも一部が前記特定情報に関連付けられて含まれ、
前記サーバは、前記特定情報を伴う要求に応じて、当該特定情報に関して前記端末データ記憶部に記憶される前記読取データを前記要求元に対して出力する出力部を備えることを特徴とする請求項１〜５のいずれか一項に記載の管理システム。
【請求項７】
前記情報端末は、防塵プレートを介して一次元コードからの反射光を受光部にて受光し、受光波形に基づいて当該一次元コードを光学的に読み取る情報コード読取端末であって、
前記防塵プレートの劣化に起因して読取が失敗する際の前記受光波形の高さに相当する値が第１の閾値として記憶される閾値記憶部を備え、
前記反射光の受光時に前記受光波形の高さが前記第１の閾値以下となる状態が継続すると、前記防塵プレートの交換が必要であることを示す第１の通知情報を、前記送信部により送信される前記端末データに含め、
前記通知部は、前記解析部により解析される前記端末データに前記第１の通知情報が含まれていると、前記要求元に対して前記防塵プレートの交換が必要であることを通知することを特徴とする請求項１〜６のいずれか一項に記載の管理システム。
【請求項８】
前記閾値記憶部には、前記防塵プレートの劣化に起因して読取失敗の頻度が高くなる際の前記受光波形の高さに相当する値であって前記第１の閾値よりも大きくなる値が第２の閾値として記憶され、
前記反射光の受光時に前記受光波形の高さが前記第２の閾値以下となる状態が継続すると、前記防塵プレートが劣化していることを示す第２の通知情報を、前記送信部により送信される前記端末データに含め、
前記通知部は、前記解析部により解析される前記端末データに前記第２の通知情報が含まれていると、前記要求元に対して前記防塵プレートが劣化していることを通知することを特徴とする請求項７に記載の管理システム。
【発明の詳細な説明】
【技術分野】
【０００１】
本発明は、情報端末を管理する管理システムに関するものである。
【背景技術】
【０００２】
現在、情報コードを光学的に読み取る情報コード読取端末のような情報端末は、様々な環境にて多様な用途で使用されている。ところで、このような情報端末では、使用中に故障するとそれまで読み取った読取データを失うことになり、業務のやり直しなどの損失が発生する可能性が有る。このため、例えば、下記特許文献１に開示される画像管理システムのように、撮像装置により取得された患者番号や画像データを情報処理装置に送信することで、この撮像装置が故障等したときでも今までに取得されたデータを失うことなくそのデータ復旧を容易にしている。
【先行技術文献】
【特許文献】
【０００３】
【特許文献１】特開２０１５−２１９６９９号公報
【発明の概要】
【発明が解決しようとする課題】
【０００４】
ところで、情報端末自体に動作異常や故障等が発生した場合、一般に使用者は対処方法が分からず管理者に問い合わせるなどが必要となり、その復旧に時間がかかることが多い。その一方で、管理者がその故障等の原因を確認するために使用者本人から故障等時の利用状況などを聞き取ったとしても、使用者から聞き取る情報は曖昧な記憶による場合が多く有用な情報が得られない可能性が高い。
【０００５】
このような問題に関して、情報端末にて動作ログ等の情報を逐次フラッシュＲＯＭ等に保存する構成では、故障時にその保存されている動作ログ等をメーカが解析してその原因追究を図ることはできても、使用者がその動作ログ等を確認することはできず、仮に確認できたとしてもその原因追究を図ることができない。特に、動作ログ等の情報をフラッシュＲＯＭ等に保存する構成では、保存できるデータ量に限界があり、そもそもフラッシュＲＯＭ等から情報を取り出すことができないような故障等では、動作ログ等の解析すらできないという事態もあり得る。
【０００６】
本発明は、上述した課題を解決するためになされたものであり、その目的とするところは、管理対象となる情報端末の状態を容易に確認可能な構成を提供することにある。
【課題を解決するための手段】
【０００７】
上記目的を達成するため、特許請求の範囲の請求項１に記載の発明は、
１又は２以上の情報端末（１０）と、
前記情報端末から受信したデータを管理するサーバ（７０）と、
を備える管理システム（１）であって、
前記情報端末は、
当該情報端末の状態に関する端末データを取得する取得部（５０）と、
前記取得部により取得された前記端末データを、当該情報端末を特定可能な特定情報に関連付けて前記サーバに対して定期的に送信する送信部（５２）と、
を備え、
前記サーバは、
前記情報端末から受信したデータが記憶される端末データ記憶部（７２）と、
前記特定情報を伴う要求に応じて、当該特定情報に関連付けて前記端末データ記憶部に記憶される前記端末データに基づいて当該特定情報から特定される前記情報端末の状態を解析する解析部（７１）と、
前記解析部の解析結果を要求元（６０）に通知する通知部（７１，７５）と、
を備えることを特徴とする。
なお、上記各括弧内の符号は、後述する実施形態に記載の具体的手段との対応関係を示すものである。
【発明の効果】
【０００８】
請求項１の発明では、情報端末において、当該情報端末の状態に関する端末データが取得部により取得され、この取得された端末データが特定情報に関連付けられて送信部によりサーバに対して定期的に送信される。また、サーバでは、情報端末から受信したデータが端末データ記憶部に記憶される。そして、サーバでは、特定情報を伴う要求に応じて、当該特定情報に関連付けて端末データ記憶部に記憶される端末データに基づいて当該特定情報から特定される情報端末の状態が解析部により解析されると、この解析結果が通知部により要求元に通知される。
【０００９】
これにより、情報端末が故障等した場合には、この故障等した情報端末を特定する特定情報を伴うようにサーバに要求することで、その情報端末の状態を解析した解析結果が通知されるので、その解析結果に基づいて管理対象となる情報端末の状態を容易に確認することができる。特に、サーバでは、取得部により取得された端末データが定期的に受信されるため、例えば、情報端末が動作しないような故障であってもその故障直前までに定期的に受信していた端末データを解析できるので、故障の原因の追究を容易に行うことができる。
【００１０】
請求項２の発明では、端末データには、情報端末の温度、電池電圧、消費電流及び動作状態の少なくとも１つが含まれるため、解析部では、情報端末の状態をより詳細に解析することができる。このため、要求元に対して、情報端末の温度が異常に高い場合や電池電圧が異常な値である場合、消費電流が異常な値である場合、情報端末の動作状態が異常である場合には、その異常の原因やその対処方法等について具体的に通知することができる。
【００１１】
請求項３の発明では、加速度センサにより検出された情報端末の加速度が特定情報に関連付けられて送信部によりサーバに対して送信される。これにより、サーバでは、情報端末が落下等した場合に急変するような情報端末の加速度を取得できるので、情報端末の加速度の変化に応じて検出される情報端末の落下等の有無を考慮した上で当該情報端末の状態を解析することができ、解析精度を向上させることができる。
【００１２】
請求項４の発明では、情報端末の加速度は、所定の加速度閾値以上となる場合に取得部により取得され、このように取得された情報端末の加速度は、端末データとは異なる送信タイミングにて送信部によりサーバに対して送信される。これにより、落下等が想定されず故障の原因と無関係となるような情報端末の加速度がサーバに送信されることもないので、サーバへの不要なデータの送信を抑制することができる。
【００１３】
請求項５の発明では、解析部により、端末データ及び特定情報を受信するごとに、受信した端末データに基づいて特定情報から特定される情報端末の状態が解析される。そして、解析部による解析結果に基づいて情報端末の状態が警告すべき状態であると判定部により判定されると、この解析結果に関する情報が表示部に表示される。
【００１４】
これにより、表示部に表示される解析結果に関する情報を見ている管理者等は、管理対象の情報端末の状態が警告すべき状態であることをリアルタイムに把握できるので、その警告すべき状態の解消を迅速に図ることができる。
【００１５】
請求項６の発明では、情報端末は、外部の情報を読み取り可能な情報読取端末であって、端末データには、読み取られた読取データの少なくとも一部が特定情報に関連付けられて含まれる。そして、サーバでは、特定情報を伴う要求に応じて、当該特定情報に関して端末データ記憶部に記憶される読取データが要求元に対して出力部により出力される。
【００１６】
これにより、故障等した情報端末から今までに読み取った読取データを取り出せなくなっても、サーバに要求することで、そのサーバに対して定期的に送信していた読取データを取得できるので、読取データに関して復旧を容易に行うことができる。
【００１７】
請求項７の発明では、情報端末は、防塵プレートを介して一次元コードからの反射光を受光部にて受光し、その受光波形に基づいて当該一次元コードを光学的に読み取る情報コード読取端末であって、防塵プレートの劣化に起因して読取が失敗する際の受光波形の高さに相当する値が第１の閾値として閾値記憶部に記憶されている。そして、情報端末では、反射光の受光時に受光波形の高さが上記第１の閾値以下となる状態が継続すると、防塵プレートの交換が必要であることを示す第１の通知情報が、送信部により送信される端末データに含められる。そして、サーバでは、解析部により解析される端末データに上記第１の通知情報が含まれていると、要求元に対して防塵プレートの交換が必要であることが通知部により通知される。
【００１８】
これにより、情報端末による読み取りが成功しないことから、その情報端末の特定情報を伴うようにサーバに要求すると、当該情報端末が防塵プレートの劣化に起因して読取が失敗している場合には、サーバの解析部により解析される端末データに上記第１の通知情報が含まれているため、要求元に対して防塵プレートの交換が必要であることが通知される。このため、上記要求を行った情報端末の使用者等は、読み取りが失敗している原因とその対処方法とについて容易に知得することができる。
【００１９】
請求項８の発明では、情報端末の閾値記憶部には、防塵プレートの劣化に起因して読取失敗の頻度が高くなる際の受光波形の高さに相当する値であって上記第１の閾値よりも大きくなる値が第２の閾値として記憶され、反射光の受光時に受光波形の高さが上記第２の閾値以下となる状態が継続すると、防塵プレートが劣化していることを示す第２の通知情報が、送信部により送信される端末データに含められる。そして、サーバでは、解析部により解析される端末データに上記第２の通知情報が含まれていると、要求元に対して防塵プレートが劣化していることが通知部により通知される。
【００２０】
これにより、情報端末による読取失敗の頻度が高いことから、その情報端末の特定情報を伴うようにサーバに要求すると、当該情報端末が防塵プレートの劣化に起因して読取失敗の頻度が高くなっている場合には、サーバの解析部により解析される端末データに上記第２の通知情報が含まれているため、要求元に対して防塵プレートが劣化していることが通知される。このため、上記要求を行った情報端末の使用者等は、読取失敗の頻度が高くなっている原因とその対処方法とについて容易に知得することができる。
【図面の簡単な説明】
【００２１】
【図１】本発明の第１実施形態に係る管理システムを概念的に例示する説明図である。
【図２】図１の情報端末の電気的構成を例示するブロック図である。
【図３】図２の端末データ取得部の電気的構成を例示するブロック図である。
【図４】情報端末の端末データ取得部においてなされる端末データ送信処理の流れを例示するフローチャートである。
【図５】情報端末の端末データ取得部においてなされる２つの割込み処理の流れをそれぞれ例示するフローチャートである。
【図６】図１の端末装置の電気的構成を例示するブロック図である。
【図７】図１のサーバの電気的構成を例示するブロック図である。
【図８】第２実施形態においてサーバにて行われる解析処理の流れを例示するフローチャートである。
【図９】第２実施形態の変形例において各情報端末のそれぞれの最新の状態等に関して一括表示した状態を示す説明図である。
【図１０】図１０（Ａ）は、防塵プレートが曇った状態で撮像された一次元コードを示す説明図であり、図１０（Ｂ）は、図１０（Ａ）の明暗差から求められる受光波形を示す説明図である。
【図１１】図１１（Ａ）は、近くの一次元コードからの反射光を受光した状態での受光波形を示す説明図であり、図１１（Ｂ）は、遠くの一次元コードからの反射光を受光した状態での受光波形を示す説明図である。
【図１２】第３実施形態において情報端末の制御部においてなされる劣化度合検出処理の流れを例示するフローチャートである。
【発明を実施するための形態】
【００２２】
［第１実施形態］
以下、本発明に係る管理システムを具現化した第１実施形態について、図面を参照して説明する。
図１に示す管理システム１は、１又は２以上の情報端末１０と、サーバ７０と、情報端末１０から受信したデータをサーバ７０に送信する端末装置６０とを備え、情報端末１０の状態をサーバ７０にて管理し、サーバ７０に対して所定の要求を行う要求元に対して情報端末１０の状態を通知するシステムとして構成されている。なお、図１では、便宜上、管理対象となる複数の情報端末１０のうち１つのみを図示している。
【００２３】
まず、管理システム１の管理対象となる情報端末１０の構成について、図１〜図３を参照して説明する。
図１及び図２に示す情報端末１０は、外部の情報であるバーコードや二次元コード等の情報コードを光学的に読み取る携帯型の光学的情報読取端末として構成されるものである。情報端末１０は、ＡＢＳ樹脂等の合成樹脂材料により形成される上側ケース及び下側ケースが組み付けられて構成される長手状の筐体１１によって外郭が形成されている。また、上側ケースには、所定の情報を入力する際に操作されるファンクションキーおよびテンキー等の操作部４２や、所定の情報を表示するための表示部４３等が配置されている。また、下側ケースには、下方に向けて開口する読取口１２が形成され、この読取口１２内を保護するように当該読取口１２を覆う保護部材として防塵プレート１３が設けられている。この防塵プレート１３は、内部から出射される照明光や情報コードからの反射光を透過可能な透明のアクリル樹脂やガラス等から形成されている。
【００２４】
図２に示すように、情報端末１０は、主に、照明光源２１、受光センサ２３、結像レンズ２５等の光学系と、メモリ３５、制御部４０、操作部４２、表示部４３等のマイクロコンピュータ（以下「マイコン」という）系とを備えている。
【００２５】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、防塵プレート１３及び読取口１２を介して情報コードＣが付された読取対象Ｒに向けて照明光Ｌｆを照射する例を概念的に示している。
【００２６】
受光光学系は、受光センサ２３、結像レンズ２５、反射鏡（図示略）などによって構成されている。受光センサ２３は、例えば、Ｃ−ＭＯＳやＣＣＤ等の固体撮像素子である受光素子を一次元に配列したラインセンサ、或いは２次元に配列したエリアセンサとして構成されるものであり、受光した受光素子ごとに反射光Ｌｒの強度に応じた電気信号を出力するように構成されている。この受光センサ２３は、結像レンズ２５を介して入射する入射光を受光可能にプリント配線板（図示略）に実装されている。なお、受光センサ２３は、「受光部」の一例に相当し得る。
【００２７】
結像レンズ２５は、外部から読取口１２及び防塵プレート１３を介して入射する入射光を集光して受光センサ２３の受光面２３ａに像を結像可能な結像光学系として機能するものである。本実施形態では、照明光源２１から照射された照明光Ｌｆが情報コードにて反射した後、この反射光Ｌｒを結像レンズ２５で集光し、受光センサ２３の受光面２３ａにコード像を結像させている。
【００２８】
マイコン系は、増幅回路３１、Ａ／Ｄ変換回路３３、メモリ３５、アドレス発生回路３６、同期信号発生回路３８、制御部４０等から構成されている。このマイコン系は、マイコン（情報処理装置）として機能し得る制御部４０及びメモリ３５を中心として構成され、上述した光学系によって撮像された情報コードＣの画像信号をハードウェア的及びソフトウェア的に信号処理し得るものである。
【００２９】
光学系の受光センサ２３から出力される画像信号（アナログ信号）は、増幅回路３１に入力されることで所定ゲインで増幅され、その後、Ａ／Ｄ変換回路３３に入力されてアナログ信号からディジタル信号に変換される。そして、ディジタル化された画像信号、つまり画像データ（画像情報）は、ＲＯＭ、ＲＡＭなどの公知の記憶媒体によって構成されたメモリ３５に入力され、所定の格納領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３０】
メモリ３５は、例えば半導体メモリ装置などの公知の記憶媒体によって構成され、例えばＲＡＭ、ＲＯＭ、その他の不揮発性メモリなどがこれに相当する。このメモリ３５のうちのＲＡＭには、上述した画像データ蓄積領域のほかに、制御部４０が算術演算や論理演算等の各処理時に利用する作業領域や読取条件テーブルも確保可能に構成されている。またＲＯＭには、撮像した情報コードをデコードするための読取処理を実行可能なプログラムや通話処理を実行可能なプログラム等、その他、照明光源２１、受光センサ２３等の各ハードウェアを制御可能なシステムプログラム等が制御部４０により制御可能に予め格納されている。また、メモリ３５には、当該情報端末１０を他の複数の情報端末と区別して特定可能な端末番号等の特定情報が記憶されている。
【００３１】
制御部４０は、情報端末１０全体を制御可能なマイコンで、ＣＰＵ、システムバス、入出力インタフェース等からなるもので、メモリ３５とともに情報処理装置を構成し得るもので情報処理機能を有する。制御部４０は、メモリ３５に記憶される情報コードの画像データを解析して当該情報コードに記録されたデータを公知の解読方法で解読する読取処理を行い、この解読で得た読取データをその解読ごとに後述する端末データ取得部５０に出力するように構成されている。
【００３２】
また、制御部４０は、内蔵された入出力インタフェースを介して種々の入出力装置と接続可能に構成されており、本実施形態の場合、操作部４２、表示部４３、ブザー４４、バイブレータ４５、発光部４６、通信部４８等が接続されている。
【００３３】
操作部４２は、トリガーキーやファンクションキー及びテンキー等の複数のキーによって構成され、使用者のキー操作に応じて制御部４０に対して操作信号を与える構成をなしており、制御部４０は、操作部４２から操作信号を受けたとき、その操作信号に応じた動作を行うように構成されている。表示部４３は、公知の液晶表示パネルによって構成されており、制御部４０によって表示内容が制御されるようになっている。ブザー４４は、公知のブザーによって構成されており、制御部４０からの動作信号に応じて所定の音を発生させるように構成されている。バイブレータ４５は、携帯端末に搭載される公知のバイブレータによって構成されており、制御部４０からの駆動信号に応じて振動を発生させるように機能する。発光部４６は、例えばＬＥＤであって、制御部４０からの信号に応じて点灯・点滅するように機能する。通信部４８は、外部（例えばホスト装置）との間でのデータ通信を行うためのインタフェースとして構成されており、制御部４０と協働して通信処理を行うように機能する。また、筐体１１内には、電源部４９が設けられており、この電源部４９やバッテリ４９ａによって制御部４１や各種電気部品に電力が供給されるようになっている。
【００３４】
そして、制御部４０は、上述した操作部４２、表示部４３、ブザー４４、バイブレータ４５、発光部４６、通信部４８の動作状態を含め、情報端末１０の現在の動作状態（ステータス）を取得するように構成されている。上記情報端末１０の現在の動作状態には、さらに、制御部４０にて把握しているバッテリ４９ａの充電状態（例えば、充電中、充電完了、充電エラー等）や通信部４８による通信状態（例えば、ＵＳＢ通信中、Ｗｉｆｉ通信中等）等を含めることができる。なお、上記情報端末１０の現在の動作状態には、例えば、制御部４０のスリープ状況（頻度）や電源ＯＮ・ＯＦＦ状況（頻度）等が含まれてもよい。
【００３５】
また、筐体１１内には、端末データ取得部５０が設けられている。この端末データ取得部５０は、情報端末１０の状態に関するデータや上記読取処理により得られた読取データ等を含めた端末データを取得して、特定情報とともに端末装置６０に送信するように機能するもので、図３に示すように、マイコン５１及びＢＬＥモジュール５２と、温度センサ５３ａと、電圧／電流センサ５３ｂと、加速度センサ５３ｃ及びコンパレータ５４とを備えるように構成されている。
【００３６】
温度センサ５３ａは、筐体１１内に配置されて、筐体１１内の温度に応じた信号をマイコン５１に出力するように構成されている。電圧／電流センサ５３ｂは、バッテリ４９ａの電圧（電池電圧）及び電流（消費電流）を検出（計測）するセンサであって、電圧値及び電流値に応じたそれぞれの信号をマイコン５１に出力するように構成されている。
【００３７】
加速度センサ５３ｃは、情報端末１０の３軸方向の加速度に応じた信号をマイコン５１及びコンパレータ５４に出力するように構成されている。コンパレータ５４は、加速度センサ５３ｃにより検出（計測）される加速度が予め設定される所定の加速度閾値を超える場合にマイコン５１に出力されるコンパレータ出力がＨｉｇｈからＬｏｗに変化するように構成されている。
【００３８】
マイコン５１は、ＣＰＵコアやタイマ等を備え、上述した各種センサ５３ａ〜５３ｂからの検出結果をＡＤコンバータによりタイマを利用して同じタイミングで取得するとともに、Ｉ２Ｃ通信を利用して制御部４０から情報端末１０の現在の動作状態や読取データ等を取得するように構成されている。このように取得した情報端末１０の状態に関するデータや読取データ等は、マイコン５１により端末データとして特定情報に関連付けられた状態で、ＳＰＩ通信を利用してＢＬＥモジュール５２に出力される。
【００３９】
特に、マイコン５１は、落下衝撃等の検出を容易にするため、割込検出ポートを介したコンパレータ５４からのコンパレータ出力がＨｉｇｈからＬｏｗに変化すると割込処理を実施することで、上記所定の加速度閾値を超える情報端末１０の加速度をＡＤコンバータを介して加速度センサ５３ｃから取得するように構成されている。このように取得した情報端末１０の加速度は、マイコン５１により特定情報に関連付けられた状態で、上記端末データとは異なるタイミングにてＳＰＩ通信を利用してＢＬＥモジュール５２に出力される。
【００４０】
ＢＬＥモジュール５２は、ＢＬＥ（Bluetooth（登録商標） Low Energy）による低消費電力近距離無線通信を行うモジュールであり、マイコン５１が取得した端末データ等をＢＬＥ通信を利用して端末装置６０に送信するように構成されている。このＢＬＥモジュール５２は、コントローラ５２ａ及び回路部５２ｂを備え、コントローラ５２ａは、マイコン５１から端末データ等を取得するごとに、回路部５２ｂを利用してＢＬＥ通信にて端末データ等を端末装置６０に送信するように機能する。なお、ＢＬＥモジュール５２は、「送信部」の一例に相当し得る。
【００４１】
マイコン５１及びＢＬＥモジュール５２は、図３に示すように、電源部４９とは異なる専用の電源部として、充電回路５５ａ、電源５５ｂ及び電源レギュレータ５５ｃを備えている。電源５５ｂは、例えば、電気二重層コンデンサであって、充電回路５５ａを利用してバッテリ４９ａにより常時充電状態となっており、この電源５５ｂに充電されている電荷が電源レギュレータ５５ｃにより調整されて、マイコン５１及びＢＬＥモジュール５２に供給されている。このように、マイコン５１及びＢＬＥモジュール５２は、電源に関して、制御部４０等に対して独立しており、バッテリ４９ａが充電不足状態になった場合でも、それまでに電源５５ｂに充電された電荷により、少なくとも数ヶ月程度、以下の端末データ送信処理等を継続して実行可能となっている。
【００４２】
次に、上述のように構成される端末データ取得部５０のマイコン５１にてなされる端末データ送信処理について、図４に示すフローチャートを参照して詳述する。
マイコン５１では、電源５５ｂから電力供給を受け始めることで、端末データ送信処理が開始されると、所定の初期設定がなされ、各種センサからの検出結果や制御部４０からのデータを取得可能な状態になる（図４のＳ１０１）。続いて、ステップ１０３の処理にてタイマによる計時が開始され、所定時間（例えば、６０秒）が経過するまでステップＳ１０５の判定処理にてＮｏとの判定が繰り返される。
【００４３】
そして、上記所定時間が経過すると（Ｓ１０５でＹｅｓ）、タイマがクリアされる（Ｓ１０７）。次に、ステップＳ１０９のデータ取得処理がなされ、温度センサ５３ａ、電圧／電流センサ５３ｂの検出結果が取得されるとともに、制御部４０から情報端末１０の現在の動作状態や読取データ等が取得される。続いて、ステップＳ１１１の出力処理にて、上述のように取得した情報端末１０の状態に関するデータや読取データ等が端末データとして特定情報に関連付けられてＢＬＥモジュール５２に出力された後、再び上記ステップ１０３からの処理がなされる。
【００４４】
このように、上記端末データ送信処理により、上記所定時間が経過するごとに（例えば、６０秒経過ごとに）、上記端末データが取得されてＢＬＥモジュール５２に出力され、ＢＬＥモジュール５２では、マイコン５１から上記端末データ等が入力されるごとに、その端末データ等が特定情報に関連付けられて端末装置６０に対して定期的に送信される。
【００４５】
次に、上述のように構成される端末データ取得部５０のマイコン５１にてなされる２つの割込み処理について、図５（Ａ）（Ｂ）に示すフローチャートを参照して詳述する。
マイコン５１は、上述のようにコンパレータ５４からのコンパレータ出力がＨｉｇｈからＬｏｗに変化することで、図５（Ａ）に示す割込み処理を開始する。この割込み処理では、まず、加速度センサ５３ｃから上記所定の加速度閾値を超える情報端末１０の加速度が取得される（Ｓ２０１）。そして、上述のように取得した情報端末１０の加速度が特定情報に関連付けられてＢＬＥモジュール５２に出力されて（Ｓ２０３）、本割込み処理が終了する。ＢＬＥモジュール５２では、このようにマイコン５１から上記情報端末１０の加速度が入力されるごとに、その情報端末１０の加速度が特定情報に関連付けられて端末装置６０に対して即座に送信される。
【００４６】
また、マイコン５１は、制御部４０による情報コード等の読み取り処理が成功することで、図５（Ｂ）に示す割込み処理を開始する。この割込み処理では、まず、制御部４０から読み取り成功した読取データが取得される（Ｓ３０１）。そして、上述のように取得した読取データが特定情報に関連付けられてＢＬＥモジュール５２に出力されて（Ｓ３０３）、本割込み処理が終了する。ＢＬＥモジュール５２では、このようにマイコン５１から上記読取データが入力されるごとに、その読取データが特定情報に関連付けられて端末装置６０に対して送信される。
【００４７】
次に、端末装置６０の構成について、図１及び図６を参照して説明する。
図１に示す端末装置６０は、各情報端末１０からＢＬＥ通信を利用して受信した端末データ等をサーバ７０に送信するゲートウェイとして機能し、当該サーバ７０に端末データ等を送信したいずれかの情報端末１０の状態を確認する際にアクセス用端末（要求元）として機能するコンピュータとして構成されている。この端末装置６０は、図６に示すように、端末装置６０全体を統括的に制御する制御部６１、ＲＯＭ、ＲＡＭ、ＨＤＤ等からなる記憶部６２、マウスやキーボード等として構成される操作部６３、液晶モニタ等として構成される表示部６４、ＬＡＮインタフェース等として構成される通信部６５やＢＬＥモジュール６６等を備えている。
【００４８】
ＢＬＥモジュール６６は、情報端末１０のＢＬＥモジュール５２と同等の機能を有しており、ＢＬＥモジュール５２によるＢＬＥ通信を利用して情報端末１０から送信された端末データ等を受信するように機能する。また、通信部６５は、インターネット等の所定のネットワークＮを介して有線通信または無線通信を行う公知の通信インタフェースとして構成されており、制御部６１と協働してサーバ７０等の外部機器と通信を行うように機能する。
【００４９】
制御部６１は、ＢＬＥモジュール６６を介して情報端末１０から端末データ等を受信すると、記憶部６２に記憶するとともに、このように受信した端末データ等を通信部６５を介してサーバ７０に送信するように機能する。なお、制御部６１は、情報端末１０から受信した端末データ等を記憶することなくサーバ７０に送信してもよい。また、制御部６１は、サーバ７０と一時的に通信できないような通信障害が発生した場合には、端末データ等をサーバ送信用として記憶部６２に一時的に記憶し、復旧後にサーバ７０に送信するようにしてもよい。
【００５０】
また、制御部６１は、操作部６３による所定の操作に応じて要求処理が開始されると、指定された特定情報を伴うようにサーバ７０に所定の要求を行い、その要求に応じてサーバ７０にて後述するように解析された解析結果を通信部６５を介して受信すると、その解析結果に関する情報が表示部６４に表示されて通知される。
【００５１】
具体的には、端末装置６０を介して端末データ等をサーバ７０に送信している情報端末１０が故障等して動作不安定になるか動作しなくなると、利用者等は、その情報端末１０の状態等を確認するため、端末装置６０の操作部６３に対して所定の操作を行う。この操作に応じて制御部６１により上記要求処理が開始されると、解析対象となる情報端末１０の特定情報の入力を促す情報が表示部６４に表示され、入力された特定情報がサーバ７０に送信される。そして、この送信に応じてサーバ７０から受信した解析結果等が表示部６４に表示されることで、利用者等は、その情報端末１０の状態等を確認することができる。
【００５２】
次に、サーバ７０の構成について、図１及び図７を参照して説明する。
図１に示すサーバ７０は、１又は２以上の端末装置６０からそれぞれ受信した端末データ等を管理し、端末装置６０等の要求元からの特定情報を伴う要求に応じて、端末データ等を解析した解析結果を要求元に通知するクラウドサーバとして構成されている。このサーバ７０は、図７に示すように、サーバ７０全体を統括的に制御する制御部７１、ＲＯＭ、ＲＡＭ、ＨＤＤ等からなる記憶部７２、マウスやキーボード等として構成される操作部７３、液晶モニタ等として構成される表示部７４、ＬＡＮインタフェース等として構成される通信部７５等を備えている。
【００５３】
通信部７５は、インターネット等の所定のネットワークＮを介して通信を行う公知の通信インタフェースとして構成されており、制御部７１と協働して端末装置６０等の外部機器と通信を行うように機能する。
【００５４】
制御部７１は、常時なされる端末データ登録処理により、通信部７５を介して端末装置６０から受信した端末データ等を、その受信ごとに、記憶部７２に設けられる所定のデータベースに特定情報を基準として順次蓄積するように登録する。このデータベースは、制御部７１にてなされる解析処理により、指定された特定情報に関連して記憶される端末データ等が解析可能となるように構築されている。なお、解析処理を行う制御部７１は、「解析部」の一例に相当し、記憶部７２は、「端末データ記憶部」の一例に相当し得る。
【００５５】
また、制御部７１は、要求元からの要求に応じて上記解析処理を行うことで、その解析結果を要求元に通知する。具体的には、端末装置６０の制御部６１によりなされる上記要求処理により、その端末装置６０から特定情報を伴う解析結果の通知要求を受信することで、制御部７１により上記解析処理が開始され、その解析結果が通信部７５を介して要求元である端末装置６０に送信されて通知される。なお、制御部７１及び通信部７５は、「通知部」の一例に相当し得る。
【００５６】
この解析処理では、例えば、バッテリ４９ａの劣化に起因してその電圧値が異常に低下していることから電源キーを操作しても情報端末１０が起動しないため、端末装置６０を介して上記所定の操作がなされた場合、記憶部７２のデータベースには、その情報端末１０の特定情報に関連して異常に低い電圧値が記録されており、解析結果として、バッテリ４９ａの劣化が把握される。このため、端末装置６０に対して、バッテリ４９ａの劣化に関する情報やバッテリ４９ａの交換を促す情報等を送信することができる。このような解析結果等が端末装置６０の表示部６４に表示されることで、利用者等は、バッテリ４９ａの劣化状態やその対処方法を確認することができる。また、このような場合には、「電池は正しく挿入されていますか」等の情報を表示部６４に表示させてもよい。また、上記対処方法でも異常状態が解消しない場合には、バッテリ４９ａを取り外して使用の中止を促す情報を表示部６４に表示させてもよい。
【００５７】
また、上記解析処理では、例えば、情報端末１０の温度が所定温度（例えば、５０℃）を超える状態が継続していることから情報端末１０の動作が不安定であるため、端末装置６０を介して上記所定の操作がなされた場合、記憶部７２のデータベースには、その情報端末１０の特定情報に関連して異常に高い温度が記録されており、解析結果として、情報端末１０の温度異常が把握される。このため、端末装置６０に対して、情報端末１０の温度異常に関する情報やバッテリ４９ａの取り外しを促す情報等を送信することができる。このような解析結果等が端末装置６０の表示部６４に表示されることで、利用者等は、情報端末１０の温度異常やその対処方法を確認することができる。また、このような場合には、「管理者へ連絡して下さい」等の情報を表示部６４に表示させてもよい。
【００５８】
また、上記解析処理では、例えば、情報端末１０が落下して故障したため、端末装置６０を介して上記所定の操作がなされた場合、記憶部７２のデータベースには、その情報端末１０の特定情報に関連して異常に大きな加速度が記録されており、解析結果として、情報端末１０の落下が把握される。このため、端末装置６０に対して、情報端末１０の落下に関する情報等を送信することができる。このような解析結果等が端末装置６０の表示部６４に表示されることで、利用者等は、故障の原因が情報端末１０の落下にあることを把握できる。
【００５９】
また、「情報コードが読み取れない」「充電ができない」「データ通信ができない」等、受信した端末データだけでは判断できないような情報端末１０の状態を想定し、制御部７１による解析処理では、端末装置６０の表示部６４に表示される質問事項に対して利用者等の操作に応じて入力される回答をも端末装置６０から取得して解析等するようにしてもよい。これにより、端末装置６０は、上述のように解析等された情報端末１０の状態やその対処方法をサーバ７０から受信することで、その解析結果等を表示部６４の表示により通知することができる。
【００６０】
また、上記解析処理では、例えば、要求された特定情報に関連して記憶される端末データ等を解析した結果、正常な状態であると判断される場合には、端末装置６０に対して、その情報端末１０が正常な状態であることを示す情報を送信することができる。このような解析結果等が端末装置６０の表示部６４に表示されることで、利用者等は、その情報端末１０が正常な状態であることを把握でき、安心してその情報端末１０を継続して利用することができる。
【００６１】
以上説明したように、本実施形態に係る管理システム１では、情報端末１０において、当該情報端末１０の状態に関する端末データ等が端末データ取得部５０により取得され、この取得された端末データ等が特定情報に関連付けられて送信部によりサーバ７０に対して定期的に送信される。また、サーバ７０では、情報端末１０から受信したデータが記憶部７２のデータベースに記憶される。そして、サーバ７０では、特定情報を伴う要求に応じて、当該特定情報に関連付けてデータベースに記憶される端末データ等に基づいて当該特定情報から特定される情報端末１０の状態が制御部７１での解析処理により解析されると、この解析結果が要求元である端末装置６０に送信されて通知される。
【００６２】
これにより、情報端末１０が故障等した場合には、この故障等した情報端末１０を特定する特定情報を伴うようにサーバ７０に要求することで、その情報端末１０の状態を解析した解析結果が通知されるので、その解析結果に基づいて管理対象となる情報端末１０の状態を容易に確認することができる。特に、サーバ７０では、端末データ取得部５０により取得された端末データが定期的に受信されるため、例えば、情報端末１０が動作しないような故障であってもその故障直前までに定期的に受信していた端末データを解析できるので、故障の原因の追究を容易に行うことができる。
【００６３】
特に、端末データには、情報端末１０の温度、電池電圧（バッテリ４９ａの電圧）、消費電流（バッテリ４９ａの電流）及び動作状態の少なくとも１つが含まれるため、制御部７１による解析処理では、情報端末１０の状態をより詳細に解析することができる。このため、要求元に対して、情報端末１０の温度が異常に高い場合や電池電圧が異常な値である場合、消費電流が異常な値である場合、情報端末１０の動作状態が異常である場合には、その異常の原因やその対処方法等について具体的に通知することができる。
【００６４】
また、加速度センサ５３ａにより検出された情報端末１０の加速度が、特定情報に関連付けられて端末データ取得部５０のＢＬＥモジュール５２により端末装置６０を介してサーバ７０に対して送信される。これにより、サーバ７０では、情報端末１０が落下等した場合に急変するような情報端末１０の加速度を取得できるので、情報端末１０の加速度の変化に応じて検出される情報端末１０の落下等の有無を考慮した上で当該情報端末１０の状態を解析することができ、解析精度を向上させることができる。
【００６５】
特に、情報端末１０の加速度は、コンパレータ５４を利用することで所定の加速度閾値以上となる場合に端末データ取得部５０により取得され、このように取得された情報端末１０の加速度は、端末データとは異なる送信タイミングにてＢＬＥモジュール５２により端末装置６０を介してサーバ７０に対して送信される。これにより、落下等が想定されず故障の原因と無関係となるような情報端末１０の加速度がサーバ７０に送信されることもないので、サーバ７０及び端末装置６０への不要なデータの送信を抑制することができる。
【００６６】
なお、サーバ７０の記憶部７２には、各情報端末１０にて読み取った読取データが特定情報に関連付けられて記憶されているため、サーバ７０に対して、故障判定された情報端末１０の特定情報を伴うように読取データの出力を要求することで、制御部７１による出力処理に応じて、その情報端末１０が今までに読み取った読取データ等を要求元に対して出力させることができる。この場合、例えば、故障判定された情報端末１０の代替品を用意して、この代替品を端末装置６０に対してＵＳＢ接続されるクレードルに載置し、端末装置６０からの上記出力要求に応じてサーバ７０から受信した読取データをクレードルを介して代替品に取り込むことができる。なお、制御部７１は、「出力部」の一例に相当し得る。
【００６７】
これにより、故障等した情報端末１０から今までに読み取った読取データを取り出せなくなっても、サーバ７０に要求することで、そのサーバ７０に対して定期的に送信していた読取データを取得できるので、読取データに関して復旧を容易に行うことができる。
【００６８】
［第２実施形態］
次に、本発明の第２実施形態に係る管理システムについて、図８を参照して説明する。
本第２実施形態では、端末データ等が受信されるごとに対応する情報端末の状態がサーバにて解析される点が主に上記第１実施形態と異なる。このため、第１実施形態と実質的に同様の構成部分には同一符号を付して説明を省略する。
【００６９】
本実施形態におけるサーバ７０では、端末装置６０から要求がない場合でも、端末データ及び特定情報等を端末装置６０を介して受信するごとに、当該端末データに基づいて当該特定情報から特定される情報端末１０の状態を解析する。そして、解析結果に基づいて情報端末１０の状態が警告すべき状態であると判定されると、この解析結果等に関する情報が端末装置６０に送信されて表示部６４に表示される。これにより、表示部６４に表示される解析結果等を見た利用者等は、異常が生じている情報端末１０の状態を容易に把握することができる。
【００７０】
ここで、警告すべき状態とは、例えば、情報端末１０の温度Ｔが所定温度Ｔｏ（例えば、５０℃）以上となる状態や、電池電圧（バッテリ４９ａの電圧）Ｖが０Ｖ以下となる状態、電池電圧Ｖが所定の電圧閾値（例えば、３Ｖ）Ｖｏ以下となる状態、消費電流Ｉが所定の電流閾値Ｉｏ（例えば、１Ａ）以上となる状態等である。
【００７１】
以下、本実施形態において、サーバ７０の制御部７１にてなされる解析処理について、図８に示すフローチャートを参照して詳述する。
制御部７１では、端末装置６０から端末データ等を受信することで解析処理が開始されると、ステップＳ４０１の判定処理にて、受信した端末データ等に含まれる情報端末１０の温度Ｔが所定温度Ｔｏ以上であるか否かについて判定される。ここで、情報端末１０の温度Ｔが所定温度Ｔｏ未満であると、ステップＳ４０１にてＮｏと判定されて、ステップＳ４０３の判定処理にて、受信した端末データ等に含まれる電池電圧Ｖが０Ｖ以下であるか否かについて判定される。ここで、電池電圧Ｖが０Ｖを超えていると、ステップＳ４０３にてＮｏと判定されて、ステップＳ４０５の判定処理にて、電池電圧Ｖが電圧閾値Ｖｏ以下であるか否かについて判定される。ここで、電池電圧Ｖが電圧閾値Ｖｏを超えていると、ステップＳ４０５にてＮｏと判定されて、ステップＳ４０７の判定処理にて、受信した端末データ等に含まれる消費電流Ｉが電流閾値Ｉｏ以上であるか否かについて判定される。ここで、消費電流Ｉが電流閾値Ｉｏ未満であると、ステップＳ４０７にてＮｏと判定されて、受信した端末データ等が記憶部７２のデータベースに特定情報を基準として登録（記憶）され（Ｓ４０９）、本解析処理が終了する。なお、上記ステップＳ４０１、Ｓ４０３、Ｓ４０５、Ｓ４０７の判定処理を行う制御部７１は、「判定部」の一例に相当し得る。
【００７２】
一方、受信した端末データ等に含まれる情報端末１０の温度Ｔが所定温度Ｔｏ以上であると、ステップＳ４０１にてＹｅｓと判定されて、ステップＳ４１１に示す通知処理がなされる。この処理では、例えば、「温度が異常です。すぐに電池を外し、管理者へ連絡してください。」等の、情報端末１０の温度異常状態とその対処方法とを含めた警告情報が特定情報に関連付けられて対応する端末装置６０に送信される。端末装置６０では、上述のような警告情報が表示部６４に表示されて通知されることで、利用者等は、対応する情報端末１０が温度異常とその対処方法を確認することができる。
【００７３】
また、受信した端末データ等に含まれる電池電圧Ｖが０Ｖ以下であると、ステップＳ４０３にてＹｅｓと判定されて、ステップＳ４１３に示す通知処理がなされる。この処理では、例えば、「電池電圧が異常です。電池が正しく装着されているか確認してください。」等の、情報端末１０の電池電圧異常状態とその対処方法とを含めた警告情報が特定情報に関連付けられて対応する端末装置６０に送信される。端末装置６０では、上述のような警告情報が表示部６４に表示されて通知されることで、利用者等は、対応する情報端末１０が電池異常状態とその対処方法を確認することができる。
【００７４】
また、受信した端末データ等に含まれる電池電圧Ｖが０Ｖを超えていても電圧閾値Ｖｏ以下であると、ステップＳ４０５にてＹｅｓと判定されて、ステップＳ４１５に示す通知処理がなされる。この処理では、例えば、「電池電圧が低下しています。速やかに充電するか電池を外してください。」等の、情報端末１０の電池電圧低下状態とその対処方法とを含めた警告情報が特定情報に関連付けられて対応する端末装置６０に送信される。端末装置６０では、上述のような警告情報が表示部６４に表示されて通知されることで、利用者等は、対応する情報端末１０の電池電圧低下状態とその対処方法を確認することができる。
【００７５】
また、受信した端末データ等に含まれる消費電流Ｉが電流閾値Ｉｏ以上であると、ステップＳ４０７にてＹｅｓと判定されて、ステップＳ４１７に示す通知処理がなされる。この処理では、例えば、「電流値が異常です。すぐに電池を外し、管理者へ連絡してください。」等の、情報端末１０の消費電流異常状態とその対処方法とを含めた警告情報が特定情報に関連付けられて対応する端末装置６０に送信される。端末装置６０では、上述のような警告情報が表示部６４に表示されて通知されることで、利用者等は、対応する情報端末１０の消費電流異常状態とその対処方法を確認することができる。
【００７６】
以上説明したように、本実施形態に係る管理システム１では、サーバ７０の制御部７１での解析処理により、端末データ及び特定情報を受信するごとに、受信した端末データに基づいて特定情報から特定される情報端末１０の状態が解析される。そして、解析処理による解析結果に基づいて情報端末１０の状態が警告すべき状態であると判定されると、この解析結果に関する情報が端末装置６０に送信されてその表示部６４に表示される。
【００７７】
これにより、表示部６４に表示される解析結果に関する情報を見ている管理者等は、管理対象の情報端末１０の状態が警告すべき状態であることをリアルタイムに把握できるので、その警告すべき状態の解消を迅速に図ることができる。
【００７８】
なお、本実施形態に係る解析処理では、受信した端末データだけでなく、今まで受信して蓄積されているデータベースの端末データの少なくとも一部を利用して、情報端末１０の状態を解析してもよい。
【００７９】
また、サーバ７０は、複数の情報端末１０を一括して管理可能であるため、複数の情報端末１０のそれぞれの最新の状態に関する情報を所定のタイミングにてまとめて対応する端末装置６０に送信してもよい。この場合には、端末装置６０は、図９に例示するように、各情報端末１０のそれぞれの最新の状態を、警告状態の有無も含め、表示部６４の表示により通知することができる。なお、このような表示状態では、利用者等による情報端末１０の選択操作に応じて、選択された情報端末１０に関する警告の詳細やその対処方法を表示部６４にさらに表示してもよい。
【００８０】
［第３実施形態］
次に、本発明の第３実施形態に係る管理システムについて、図１０〜図１２を参照して説明する。
本第３実施形態では、情報端末１０の防塵プレート１３の劣化状態を通知可能に構成される点が主に上記第１実施形態と異なる。このため、第１実施形態と実質的に同様の構成部分には同一符号を付して説明を省略する。
【００８１】
上述のように構成される情報端末１０では、防塵プレート１３が経年劣化することで曇ってくると、一次元コードを受光センサ２３にて撮像した場合、図１０（Ａ）に例示するバーコードＢのように明色モジュール（白スペース）と暗色モジュール（黒バー）との明暗差が不明瞭になる。このため、防塵プレート１３が曇る前においてその明暗差から求められる受光波形Ｓｂの高さをｈｂとするとき、図１０（Ｂ）に例示するように、防塵プレート１３の曇りの度合いが増したときの受光波形Ｓの高さｈが低くなり、その一次元コードのデコード（解読）が失敗する可能性が高くなる。このため、防塵プレート１３の劣化に起因して読取が失敗するような場合には、防塵プレート１３の交換を通知することが望ましい。なお、受光波形の高さは、その受光波形において最も高い明度と最も低い明度との差から求めることができる。
【００８２】
一方、同じ一次元コードを撮像しても、その一次元コードまでの距離に応じて受光波形Ｓの高さｈが変化する。具体的には、図１１（Ａ）に示すように近くの一次元コードからの反射光を受光した場合と、図１１（Ｂ）に示すように遠くの一次元コードからの反射光を受光した場合とでは、遠くの一次元コードの受光波形Ｓの高さｈの方が、近くの一次元コードの受光波形Ｓの高さｈよりも低くなる。そうすると、単に受光波形Ｓの高さｈだけでは、防塵プレート１３が劣化しているかわからない。
【００８３】
そこで、本実施形態では、情報端末１０にて一次元コードを読み取る際に制御部４０にてなされる劣化度合検出処理において、受光波形Ｓの高さｈがほぼ同じ値であって継続して所定の閾値ｈｏ以下となる場合に、防塵プレート１３の交換が必要であることを示す劣化情報を生成する。そして、制御部４０は、このように生成される劣化情報を情報端末１０の現在の動作状態に含めて端末データ取得部５０に出力する。なお、上記所定の閾値ｈｏは、「第１の閾値」の一例に相当し、防塵プレート１３の劣化に起因して読取が失敗する際の受光波形の高さに相当する値に設定されてメモリ３５に予め記憶されている。また、メモリ３５は、「閾値記憶部」の一例に相当し、劣化情報は、「第１の通知情報」の一例に相当し得る。
【００８４】
以下、本実施形態において情報端末１０の制御部４０にてなされる劣化度合検出処理について、図１２に示すフローチャートを参照して詳述する。
操作部４２に対して所定の操作がなされることで制御部４０により劣化度合検出処理が開始されると、ステップＳ５０１に示す初期設定処理がなされる。この処理では、受光波形Ｓの高さｈがほぼ同じ値であって所定の閾値Δｈｏ以下となる状態が継続している場合に防塵プレート１３が劣化していると判断する際のその継続回数ｎ等が予め決められた値に設定される。なお、本実施形態では、継続回数ｎの初期値は、例えば、数回程度に設定されている。
【００８５】
次に、ステップＳ５０３に示す判定処理にて、制御部４０により別途なされる読取処理が成功したか否かについて判定され、読取処理が成功していると（Ｓ５０３でＹｅｓ）、本劣化度合検出処理は終了する。一方、読取処理が失敗すると（Ｓ５０３でＮｏ）、ステップＳ５０５に示す処理にて、受光波形Ｓの高さｈがメモリ３５に記憶される。続いて、ステップＳ５０７に示す判定処理にて、現在の受光波形Ｓの高さｈとメモリ３５に記憶される前回の受光波形Ｓの高さｈとの差Δｈが所定の閾値Δｈｏ以下であるか否かについて判定される。ここで、現在の受光波形Ｓの高さｈとメモリ３５に記憶される前回の受光波形Ｓの高さｈとが異なり、差Δｈが所定の閾値Δｈｏを超える場合には、読取処理が失敗しているために情報端末１０と一次元コードとの距離を変えているとして、ステップＳ５０７にてＮｏと判定されて、上記ステップＳ５０１からの処理がなされる。
【００８６】
一方、現在の受光波形Ｓの高さｈとメモリ３５に記憶される前回の受光波形Ｓの高さｈとがほぼ同じであり、差Δｈが所定の閾値Δｈｏ以下である場合には（Ｓ５０７でＹｅｓ）、ステップＳ５０９に示す判定処理にて、受光波形Ｓの高さｈが所定の閾値ｈｏ以下であるか否かについて判定される。
【００８７】
ここで、受光波形Ｓの高さｈが上記所定の閾値ｈｏを超える場合には（Ｓ５０９でＮｏ）、防塵プレート１３は劣化していないとして、上記ステップＳ５０１からの処理がなされる。
【００８８】
一方、受光波形Ｓの高さｈが所定の閾値ｈｏ以下である場合には（Ｓ５０９でＹｅｓ）、継続回数ｎがデクリメントされ（Ｓ５１１）、ステップＳ５１３に示す判定処理にて、デクリメントされた継続回数ｎが０であるか否かについて判定される。ここで、継続回数ｎが０でない場合には、ステップＳ５１３にてＮｏと判定されて、受光波形Ｓの高さｈが所定の閾値ｈｏ未満である状態が継続していないとして、上記ステップＳ５０３からの処理がなされる。
【００８９】
一方、受光波形Ｓの高さｈが所定の閾値ｈｏ未満である状態が継続していることから、デクリメントされた継続回数ｎが０になると（Ｓ５１３でＹｅｓ）、受光波形Ｓの高さｈが所定の閾値ｈｏ未満である状態が継続しているとして、上記劣化情報が生成される（Ｓ５１５）。
【００９０】
そして、このように生成された劣化情報は、情報端末１０の現在の動作状態に含められて端末データ取得部５０に出力され、さらに端末装置６０を介してサーバ７０に送信される。サーバ７０では、このように防塵プレート１３が劣化している情報端末１０に対応する特定情報を伴う要求がなされた場合、端末装置６０等の要求元に対して防塵プレート１３の劣化を通知することができる。
【００９１】
以上説明したように、本実施形態に係る管理システム１では、情報端末１０は、防塵プレート１３を介して一次元コードからの反射光を受光センサ２３にて受光し、その受光波形Ｓに基づいて当該一次元コードを光学的に読み取る情報コード読取端末であって、防塵プレート１３の劣化に起因して読取が失敗する際の受光波形Ｓの高さｈに相当する値が所定の閾値ｈｏとしてメモリ３５に記憶されている。そして、情報端末１０では、反射光の受光時に受光波形Ｓの高さｈが所定の閾値ｈｏ以下となる状態が継続すると、防塵プレート１３の交換が必要であることを示す劣化情報（第１の通知情報）が、ＢＬＥモジュール５２により送信される端末データに含められる。そして、サーバ７０では、制御部７１によりなされる解析処理にて解析される端末データに上記劣化情報が含まれていると、要求元である端末装置６０に対して防塵プレート１３の交換が必要であることが通知される。
【００９２】
これにより、情報端末１０による読み取りが成功しないことから、その情報端末１０の特定情報を伴うようにサーバ７０に要求すると、当該情報端末１０が防塵プレート１３の劣化に起因して読取が失敗している場合には、サーバ７０により解析される端末データに上記劣化情報が含まれているため、要求元に対して防塵プレート１３の交換が必要であることが通知される。このため、上記要求を行った情報端末１０の使用者等は、読み取りが失敗している原因とその対処方法とについて容易に知得することができる。
【００９３】
なお、防塵プレート１３の劣化に起因して読取失敗の頻度が高くなる際の受光波形Ｓの高さｈに相当する値であって上記所定の閾値ｈｏよりも大きくなる値が第２の閾値としてメモリ３５に記憶された状態で、反射光の受光時に受光波形Ｓの高さｈが上記第２の閾値以下となる状態が継続すると、防塵プレート１３が劣化していることを示す第２の通知情報を生成して、ＢＬＥモジュール５２により送信される端末データに含めてもよい。
【００９４】
これにより、情報端末１０による読取失敗の頻度が高いことから、その情報端末１０の特定情報を伴うようにサーバ７０に要求すると、当該情報端末１０が防塵プレート１３の劣化に起因して読取失敗の頻度が高くなっている場合には、サーバ７０により解析される端末データに上記第２の通知情報が含まれているため、要求元に対して防塵プレート１３が劣化していることが通知される。このため、上記要求を行った情報端末１０の使用者等は、読取失敗の頻度が高くなっている原因とその対処方法とについて容易に知得することができる。さらに、使用者等は、防塵プレート１３の交換時期が近いことをも知得することができる。
【００９５】
また、制御部４０にてなされる劣化度合検出処理では、受光波形Ｓの高さｈと上記所定の閾値ｈｏ及び上記第２の閾値の双方を考慮して、受光波形Ｓの高さｈが上記第２の閾値以下となる状態が継続すると、第２の通知情報を端末データに含め、その後防塵プレート１３が交換されることなく、受光波形Ｓの高さｈが上記所定の閾値ｈｏ以下となる状態が継続すると、上記劣化情報（第１の通知情報）を端末データに含めるようにしてもよい。
【００９６】
また、上述のように劣化情報（第１の通知情報が）又は第２の通知情報が生成されると、表示部４３による表示等を利用することで、情報端末１０そのものが防塵プレート１３の交換が必要であることや防塵プレート１３が劣化していることを利用者等に対して通知してもよい。このような構成では、過剰な通知を抑制するため、例えば、所定のテストモードに切り替えられる場合にのみ上記劣化度合検出処理を行うようにしてもよい。
【００９７】
また、防塵プレート１３に塵等が付着すると、その箇所に相当する受光波形の部分が常に暗色相当になるため、このような受光波形の部分を除くようにして上記劣化度合検出処理を行ってもよい。さらに、上述のように受光波形の一部が常に暗色相当になる場合に、防塵プレート１３に塵等が付着していることを示す情報を、ＢＬＥモジュール５２により送信される端末データに含めてもよく、この場合には、要求元に対して防塵プレート１３に塵等が付着していることを通知することができる。また、情報端末１０そのものが防塵プレート１３に塵等が付着していることを利用者等に対して通知してもよい。
【００９８】
なお、情報端末１０の防塵プレート１３の劣化状態等を通知する本実施形態及び変形例の特徴的構成は、他の実施形態にも適用することができる。
【００９９】
なお、本発明は上記各実施形態等に限定されるものではなく、例えば、以下のように具体化してもよい。
（１）端末装置６０は、サーバ７０と同様に、制御部６１にてなされる端末データ登録処理により各情報端末１０からそれぞれ受信した端末データ等を、その受信ごとに、記憶部６２に設けられる所定のデータベースに特定情報を基準として順次蓄積するように登録してもよい。この場合、端末装置６０は、サーバ７０と同様に、制御部６１にてなされる解析処理により、指定された特定情報に関連して記憶される端末データ等を解析し、その解析結果や対処方法等を表示部６４に表示して通知することができる。すなわち、端末装置６０を「サーバ」として機能させることで、サーバ７０にアクセスすることなく、各情報端末１０の状態や故障の原因及びその対処方法等を確認することができる。
【０１００】
（２）サーバ７０と端末装置６０とを通信可能とする所定のネットワークＮは、インターネットに限らず、例えば、社内のイントラネット等であってもよい。
【０１０１】
（３）情報端末１０と端末装置６０との間でのデータ通信は、上述したようにＢＬＥ通信を採用することなく、例えば、bluetooth（登録商標）通信等の無線通信を採用してもよい。
【０１０２】
（４）情報端末１０は、端末データ等を端末装置６０を介すことなく上記所定のネットワークＮを介してサーバ７０に直接送信してもよい。また、サーバ７０に対して上述のような要求を行う要求元は、端末装置６０と異なる機器、例えば、情報端末１０そのものであってもよい。
【０１０３】
（５）情報端末１０は、バーコードや二次元コード等の情報コードを光学的に読み取る携帯型の光学的情報読取端末として構成されることに限らず、文字情報等を含めた光学的情報を読み取る情報読取端末として構成されてもよいし、無線通信媒体と無線通信する無線通信機能等の他の機能を兼備する情報読取端末として構成されてもよい。また、情報端末１０は、携帯型として構成されることに限らず、据え置き型として構成されてもよい。
【符号の説明】
【０１０４】
１…管理システム
１０…情報端末
１３…防塵プレート
２３…受光センサ（受光部）
３５…メモリ（閾値記憶部）
４０…制御部
５０…端末データ取得部
５２…ＢＬＥモジュール
６０…端末装置（要求元）
７０…サーバ
７１…制御部（解析部，通知部）
７２…記憶部（端末データ記憶部）
７５…通信部（通知部）
【図１】
2018180708.tif 000003
【図２】
2018180708.tif 000004
【図３】
2018180708.tif 000005
【図４】
2018180708.tif 000006
【図５】
2018180708.tif 000007
【図６】
2018180708.tif 000008
【図７】
2018180708.tif 000009
【図８】
2018180708.tif 000010
【図９】
2018180708.tif 000011
【図１０】
2018180708.tif 000012
【図１１】
2018180708.tif 000013
【図１２】
2018180708.tif 000014